(57)【要約】【課題】使い勝手の良い小額景品交換機能を備える遊技媒体計数装置および遊技媒体計数システムを提供すること。【解決手段】景品指定ボタンにより指定された景品を、個数指定ボタンにより指定された個数だけ交換するのに必要な遊技玉数である交換玉数が特定される。小額景品交換処理中は、交換玉数と計数済みの遊技媒体数との差数である必要玉数が算出され、その算出された必要玉数が必要玉数表示部４３に更新表示される。これにより、計数機構による計数の進行に従って、必要玉数表示部４３の値がカウントダウンされる。【選択図】図９
2012061100.tif 000002
【特許請求の範囲】
【請求項１】
希望する景品を指定するための景品指定手段と、
前記景品指定手段により指定された景品との交換に必要な遊技媒体数を特定する交換媒体数特定手段と、
交換に必要な遊技媒体数と計数済みの遊技媒体数との差数を表示する差数表示手段と、
交換に必要な遊技媒体数が計数されると、指定された景品が関連付けられた交換用記録媒体を発行する交換用記録媒体発行手段とを含む、遊技媒体計数装置。
【請求項２】
前記差数表示手段は、前記差数を、計数動作に連動してカウントダウン表示する、請求項１記載の遊技媒体計数装置。
【請求項３】
投入される遊技媒体の数を計数する計数機構をさらに含み、
前記差数表示手段は、
表示部と、
前記計数機構による計数済みの遊技媒体数と、前記交換媒体数特定手段によって特定された遊技媒体数との差数を演算する演算手段と、
前記演算手段によって求められた差数を表示部に表示する表示制御手段とを含む、請求項１または２記載の遊技媒体計数装置。
【請求項４】
希望する景品の種類を指定するための景品種類指定手段と、
前記景品の個数を指定するための景品個数指定手段と、
指定された種類の景品を指定された個数交換するために必要な交換媒体数を特定する交換媒体数特定手段と、
交換に必要な遊技媒体数が計数されると、指定された景品の種類および個数が関連付けられた交換用記録媒体を発行する交換用記録媒体発行手段とを含む、遊技媒体計数装置。
【請求項５】
希望する景品を指定するための景品指定手段と、
前記景品指定手段により指定された景品との交換に必要な遊技媒体数を特定する交換媒体数特定手段と、
交換に必要な遊技媒体数が計数されることに応答して、前記景品が関連付けられた交換用記録媒体を発行する交換用記録媒体発行手段とを含む、遊技媒体計数装置。
【請求項６】
投入される遊技媒体の数を計数する計数機構をさらに含み、
前記交換用記録媒体発行手段は、交換に必要な遊技媒体数が計数された後に前記計数機構からの計数出力が予め定める期間ないことに応答して、前記交換用記録媒体を発行する、請求項５記載の遊技媒体計数装置。
【請求項７】
希望する景品を指定するための景品指定手段と、
前記景品指定手段により指定された景品との交換に必要な遊技媒体数を特定する交換媒体数特定手段と、
交換に必要な遊技媒体数と計数済みの遊技媒体数との差数を表示する差数表示手段と、
交換に必要な遊技媒体数が計数されると、指定された景品が関連付けられた交換用記録媒体を発行する交換用記録媒体発行手段とを含む、遊技媒体計数システム。
【発明の詳細な説明】
【技術分野】
【０００１】
この発明は、遊技媒体を計数するための遊技媒体計数装置および遊技媒体計数システムに関する。
【背景技術】
【０００２】
従来から、遊技玉（パチンコ玉）や遊技メダル等の遊技媒体を計数するための遊技媒体計数装置が知られている。遊技媒体計数装置は、たとえば、遊技店内における遊技機島の島端等に設置されている。
遊技媒体計数装置において、タバコやドリンク等の小額景品に交換するための小額景品交換機能を備えたものが知られている。この小額景品交換機能では、小額景品を特定する情報が記録された計数レシートが発行される。この小額景品交換機能の一例として、特許文献１に示すものがある。
【０００３】
特許文献１の小額景品交換機能では、表示部の景品選択画面に表示される複数のタバコ銘柄のうちから１つが選択された後、獲得遊技媒体が投入口に投入されると、投入された遊技媒体が計数機構によって計数される。計数中には、計数済みの遊技媒体数が表示部に表示される。そして、計数済みの遊技媒体数が、選択された銘柄のタバコに交換するのに必要な遊技媒体数に達すると、表示部に表示されている、それまで無効化されていた発券ボタンが有効化される。その後、発券ボタンが押下されると、選択されたタバコ銘柄が記録された計数レシートがレシート発行部から発行される。
【先行技術文献】
【特許文献】
【０００４】
【特許文献１】特開２００８−７９７９５号公報
【発明の概要】
【発明が解決しようとする課題】
【０００５】
しかしながら、特許文献１の遊技媒体計数装置に備えられる小額景品交換機能は、次に述べるように、遊技客の使い勝手が悪い。
すなわち、計数中の表示部に計数済みの遊技玉数が表示されるのみである。そのため、遊技客は、交換玉数に達するために残り何玉の遊技玉を投入する必要があるのかを直接知ることができない。
【０００６】
また、一度の小額景品交換処理において景品を１個しか交換することができない。そのため、獲得遊技媒体を複数の小額景品に交換することを希望する遊技客は、小額景品交換処理を繰り返し何度も行う必要がある。
さらに、投入口への遊技媒体の個数が交換玉数に達したとしても、発券ボタンを押さないと小額景品交換を行うことができなかった。
【０００７】
そこで、この発明の目的は、使い勝手の良い小額景品交換機能を備える遊技媒体計数装置および遊技媒体計数システムを提供することである。
【課題を解決するための手段】
【０００８】
請求項１記載の発明は、希望する景品を指定するための景品指定手段（２５Ａ〜２５Ｈ，３５Ａ〜３５Ｄ）と、前記景品指定手段により指定された景品との交換に必要な遊技媒体数を特定する交換媒体数特定手段（１１）と、交換に必要な遊技媒体数と計数済みの遊技媒体数との差数を表示する差数表示手段（７，１１）と、交換に必要な遊技媒体数が計数されると、指定された景品が関連付けられた交換用記録媒体を発行する交換用記録媒体発行手段（８，１１）とを含む、遊技媒体計数装置（１）である。
【０００９】
なお、括弧内の数字は、後述の実施形態における対応構成要素等を表すが、特許請求の範囲を実施形態に限定する趣旨ではない。以下、この項において同じ。
この構成によれば、交換に必要な遊技媒体数と計数済みの遊技媒体数との差数が表示される。そのため、遊技客は、交換に必要な遊技媒体数に達するまでに投入する必要のある遊技媒体数を直接知ることができる。これにより、遊技客の使い勝手が向上する。
【００１０】
なお、前記交換用記録媒体には、前記景品とともに、前記交換媒体数特定手段によって特定された遊技媒体数が関連付けられていてもよい。また、前記交換用記録媒体には、景品として、景品の種類や個数が関連付けられていてもよい。
また、請求項２に記載のように、前記差数表示手段は、前記差数を、計数動作に連動してカウントダウン表示するものであってもよい。
【００１１】
この構成によれば、遊技客は、カウントダウン表示される差数を見ながら遊技媒体の投入を行うことができる。これにより、遊技客の使い勝手が一層向上する。
請求項３に記載のように、投入される遊技媒体の数を計数する計数機構（６）をさらに含み、前記差数表示手段は、表示部（７）と、前記計数機構による計数済みの遊技媒体数と、前記交換媒体数特定手段によって特定された遊技媒体数との差数を演算する演算手段（１１）と、前記演算手段によって求められた差数を表示部に表示する表示制御手段（１１）とを含むものであってもよい。
【００１２】
請求項４記載の発明は、希望する景品の種類を指定するための景品種類指定手段（２５Ａ〜２５Ｈ）と、前記景品の個数を指定するための景品個数指定手段（３５Ａ〜３５Ｄ）と、指定された種類の景品を指定された個数交換するために必要な交換媒体数を特定する交換媒体数特定手段（１１）と、交換に必要な遊技媒体数が計数されると、指定された景品の種類および個数が関連付けられた交換用記録媒体を発行する交換用記録媒体発行手段（８，１１）とを含む、遊技媒体計数装置（１）である。
【００１３】
この構成によれば、景品の個数を指定することが可能である。また、発行される交換用記録媒体には、指定された景品の種類および個数が関連付けられている。すなわち、複数個の景品と交換する場合にも１回の計数処理で足り、計数処理を複数回行う必要はない。これにより、遊技客の使い勝手が向上する。
なお、前記交換用記録媒体には、前記景品の種類および個数とともに前記交換媒体数が関連付けられていてもよい。
【００１４】
請求項５記載の発明は、希望する景品を指定するための景品指定手段（２５Ａ〜２５Ｈ，３５Ａ〜３５Ｄ）と、前記景品指定手段により指定された景品との交換に必要な遊技媒体数を特定する交換媒体数特定手段（１１）と、交換に必要な遊技媒体数が計数されることに応答して、前記景品が関連付けられた交換用記録媒体を発行する交換用記録媒体発行手段（８，１１）とを含む、遊技媒体計数装置である。
【００１５】
また、請求項６記載の発明は、投入される遊技媒体の数を計数する計数機構（６）をさらに含み、前記交換用記録媒体発行手段は、交換に必要な遊技媒体数が計数された後に前記計数機構からの計数出力が予め定める期間ないことに応答して、前記交換用記録媒体を発行する、請求項５記載の遊技媒体計数装置である。
これらの構成によれば、交換に必要な遊技媒体数の計数終了に応答して、交換用記録媒体が発行される。そのため、遊技媒体の投入以外に、交換用記憶媒体の発行のために遊技客に要求される操作がない。これにより、遊技客の使い勝手が向上する。
【００１６】
なお、前記交換用記録媒体には、前記景品とともに、前記交換媒体数特定手段によって特定された遊技媒体数が関連付けられていてもよい。また、前記交換用記録媒体には、景品として、景品の種類や個数が関連付けられていてもよい。
請求項７記載の発明は、希望する景品を指定するための景品指定手段（２５Ａ〜２５Ｈ，３５Ａ〜３５Ｄ）と、前記景品指定手段により指定された景品との交換に必要な遊技媒体数を特定する交換媒体数特定手段（１１）と、交換に必要な遊技媒体数と計数済みの遊技媒体数との差数を表示する差数表示手段（７，１１）と、交換に必要な遊技媒体数が計数されると、指定された景品が関連付けられた交換用記録媒体を発行する交換用記録媒体発行手段（８，１１）とを含む、遊技媒体計数システムである。
【００１７】
この構成によれば、請求項１に関連して説明した作用効果と同様の効果を奏する。
【図面の簡単な説明】
【００１８】
【図１】本発明の一実施形態に係る遊技媒体計数装置が組み込まれた遊技システムの構成を示すブロック図である。
【図２】図１に示す遊技媒体計数装置の構成を示すブロック図である。
【図３】図２に示す景品交換テーブルの一例を示す図である。
【図４】図１に示す遊技媒体計数装置によって行なわれる小額景品交換処理の手順を示すフローチャートである（その１）。
【図５】図１に示す遊技媒体計数装置によって行なわれる小額景品交換処理の手順を示すフローチャートである（その２）。
【図６】図２に示す操作表示器に表示される待機画面を示す図である。
【図７】図２に示す操作表示器に表示される景品選択画面を示す図である。
【図８】図２に示す操作表示器に表示される個数選択画面を示す図である。
【図９】図２に示す操作表示器に表示される計数中画面を示す図である。
【図１０】図２に示すレシート発行部から発行される小額景品交換用の計数レシートの一例を示す図である。
【図１１】図２に示すレシート発行部から発行される通常計数用の計数レシートの一例を示す図である。
【図１２】本発明の他の実施形態に係る遊技媒体計数装置のメモリの記憶内容を示す図である。
【発明を実施するための形態】
【００１９】
以下では、この発明の実施の形態を、添付図面を参照して詳細に説明する。
図１は、本発明の一実施形態に係る遊技媒体計数装置１が組み込まれた遊技システムの構成を示すブロック図である。
遊技店内には、遊技システムが設けられている。遊技システムは、１または複数の遊技媒体計数装置１と、１または複数の景品管理機２と、各景品管理機２に接続された景品払出機３と、各遊技媒体計数装置１および各景品管理機２に接続された管理装置４とを含んでいる。遊技媒体計数装置１は遊技店内における遊技島の島端に設置されている。景品管理機２および景品払出機３は景品交換カウンタ（図示しない）に設置される。管理装置４は遊技店内の事務所に設置される。
【００２０】
図２は、本発明の一実施形態に係る遊技媒体計数装置１の構成を示すブロック図である。遊技媒体計数装置１は、遊技媒体として遊技玉（パチンコ玉）を計数するものである。遊技媒体計数装置１は、遊技客が獲得した遊技玉を計数する計数機能と、計数結果等を含む計数情報（後述する景品情報をも含む）がバーコード印刷された計数レシート（交換用記録媒体。後述する計数レシート５０，６０（図１０および図１１参照））を発行するレシート発行機能とを備えた一体型のものである。
【００２１】
遊技媒体計数装置１は投入口５を有した本体ケーシング（図示しない）と、計数機構６と、操作表示器（表示部）７と、レシート発行部（交換用記録媒体発行手段）８と、返却機構９とを備えている。
投入口５の周縁には略筒状のホッパ（図示しない）の上端が連設されている。ホッパの下方に計数機構６が配置されている。投入口５には、投入口５を開閉するためのシャッタ１０が設けられている。シャッタ１０の開状態において投入口５が開放し、投入口５内に遊技玉を投入することが可能である。一方、シャッタ１０の閉状態では投入口５は閉塞し、投入口５内に遊技玉を投入することができない。
【００２２】
操作表示器７は、タッチパネル型の液晶表示器である。操作表示器７は、遊技媒体計数装置１の動作状況を表示したり、遊技媒体計数装置１を操作するためのボタンを表示したりする。
返却機構９は、遊技客が余剰に投入した遊技玉を遊技客に返却するためのものである。返却機構９が駆動されると、玉取出口（図示しない）に遊技玉が払い出される。
【００２３】
遊技媒体計数装置１は、制御部（交換媒体数特定手段、演算手段、表示制御手段、交換用記録媒体発行手段）１１を備えている。制御部１１はたとえばマイクロコンピュータによって構成されている。制御部１１には、操作表示器７、計数機構６、返却機構９、レシート発行部８、メモリ１２、Ｉ／Ｆ部１３、シャッタ１０を駆動するためのシャッタ駆動機構（図示しない）等が接続されている。
【００２４】
レシート発行部８には、計数レシート５０，６０（図１０および図１１参照）にバーコード等を印刷する機構および計数レシートを搬送する機構の駆動回路が含まれる。
Ｉ／Ｆ部１３は、管理装置４や景品管理機２と通信を行なうための通信インタフェースである。
メモリ１２には、次に述べる小額景品交換処理に関するデータが格納された小額景品交換テーブル１４が記憶されている。この小額景品交換テーブル１４の登録や内容変更は、遊技媒体計数装置１の操作により行われてもよいし、景品管理機２や管理装置４の操作により行われてもよい。
【００２５】
また、メモリ１２には、後述する小額景品交換処理において計数可能な上限玉数が設定されている。メモリ１２への上限玉数の登録や変更は、遊技媒体計数装置１の操作により行われてもよいし、景品管理機２や管理装置４の操作により行われてもよい。
さらに、メモリ１２には、計数処理中において計数機構６による計数値が記憶される。
投入口５に投入された遊技玉は、ホッパ（図示しない）を介して計数機構６に導かれる。計数機構６は、当該計数機構６内の玉流通路の所定位置における遊技玉の通過を検出する計数センサ（図示しない）を備えている。計数センサは、遊技玉を１球検出する度に、制御部１１に対し検出信号を出力（計数出力）する。計数後の遊技玉は機外（遊技島内の玉回収路）に排出される。
【００２６】
この遊技媒体計数装置１では、通常計数処理と小額景品交換処理との２つの計数処理が用意されている。
通常計数処理は、遊技店内の遊技機から獲得した遊技玉を計数するために行われる計数処理である。通常計数処理の操作は、不正を防止するために、遊技店の従業員にしか認められていない。すなわち、遊技客は通常計数処理を行うことができない。具体的には、遊技媒体計数装置１の待機状態ではシャッタ１０が閉状態にあり、遊技媒体計数装置１に設けられたリーダ（図示しない）に従業員用のＩＣカードをかざして従業員認証が行われると、制御部１１は、シャッタ１０が開状態となるようにシャッタ駆動機構（図示しない）を制御し、投入口５を開放する。また、制御部１１は、操作表示器７の表示を、通常計数用の表示（図示しない）に切り換える。その後、投入口５に遊技玉が投入され、計数機構６により計数される。この通常計数処理では、１回の計数動作で計数可能な遊技玉数に上限はない。そして、通常計数処理の終了後、操作表示器７に表示されるレシート発行ボタン（図示しない）が遊技客のタッチ操作により押下されると、レシート発行部８から計数レシート６０（図１１参照）が発行される。その後、所定時間以内に次の計数動作が行わなければ、シャッタ１０が閉じられて待機状態に戻る。
【００２７】
一方、小額景品交換処理は、上限玉数（この実施形態ではたとえば３００個）の範囲内で、遊技玉をタバコやドリンク（飲料）等の小額景品に交換するものである。この小額景品交換処理の実行開始には、従業員認証は必要ない。すなわち、小額景品交換処理は、遊技客による操作によって実行可能である。
図３は、小額景品交換テーブル１４の一例を示す図である。
【００２８】
小額景品交換テーブル１４には、複数種の景品の名称（景品がタバコであるこの実施形態では、タバコの銘柄が相当。）と、各景品１個の交換に必要な遊技玉数（以下、単位交換玉数）とが格納されている。この実施形態では、小額景品交換テーブル１４に記憶される景品（小額景品）は、「タバコ」、「ドリンク」または「その他」の３つの分類（グループ）に分けられている。図３に示すように、小額景品交換テーブル１４には、たとえば「タバコ」の分類に含まれる景品として複数種のタバコ（銘柄として「タバコＡ」、「タバコＢ」、「タバコＣ」、「タバコＤ」、「タバコＥ」、「タバコＦ」等がある）が格納されている。また、小額景品交換テーブル１４には、各タバコに対応する単位交換玉数として、「６９玉」、「７６玉」、「８７玉」、「８３玉」、「５６玉」、「５９玉」等が格納されている。
【００２９】
図３には図示を省略しているが、小額景品交換テーブル１４では、「ドリンク」や「その他」の分類においても複数種の景品が格納されている。
図４および図５は、遊技媒体計数装置１によって行なわれる小額景品交換処理の手順を示すフローチャートである。
制御部１１は、遊技媒体計数装置１が待機状態であるか否かを常時監視している（ステップＳ１）。遊技媒体計数装置１が待機状態でないときは（ステップＳ１でＮＯ）、通常計数処理等他の処理の実行中である。
【００３０】
遊技媒体計数装置１が待機状態にあるときは（ステップＳ１でＹＥＳ）、操作表示器７に、次に述べる待機画面が表示される（ステップＳ２）。図６は、操作表示器７に表示される待機画面を示す図である。以下、図４および図６を参照して説明する。
この待機画面は、画面の上部分に設けられた横長のメッセージ表示エリア１６と、画面の下部分に設けられた第１ボタン表示エリア１７と、画面の右端部に設けられた第２ボタン表示エリア１８とを備えている。
【００３１】
メッセージ表示エリア１６には、大きなサイズの文字で「係員を呼んでね」というメッセージが表示されている。かかるメッセージは、主に通常計数処理を行う際に、従業員の呼出しを遊技客に促すためのものである。
第１ボタン表示エリア１７には、遊技客が希望する景品の分類を指定するためのボタン、すなわちタバコ分類ボタン１９、ドリンク分類ボタン２０およびその他分類ボタン２１が設けられている。
【００３２】
タバコ分類ボタン１９は、「タバコ」に分類される景品との交換を指定するために押下されるボタンである。ドリンク分類ボタン２０は、「ドリンク」に分類される景品との交換を指定するために押下されるボタンである。その他分類ボタン２１は、小額景品交換用の他の景品である「その他」に分類される景品との交換を指定するために押下されるボタンである。なお、図６では画面に背景画像を図示していないが、画面中に背景画像を併せて表示してもよい。
【００３３】
第２ボタン表示エリア１８には、従業員を呼び出すための係員呼出ボタン２２と、会員客により再度遊技を行うべく、遊技客が所有するカードや携帯電話機（媒体）に関連付けられた預玉を引き出すために押下される再プレイボタン２３と、カード挿入口（図示しない）に挿入された会員用のカードを返却させるために押下されるカード返却ボタン２４とが設けられている。また、第２ボタン表示エリア１８には、「計数する場合は係員呼出ボタンを押してね」とのメッセージが表示されている。
【００３４】
前述のように、遊技媒体計数装置１では、従業員操作によらなければ通常計数処理を行うことができない。通常計数処理を行おうとする遊技客が、係員呼出ボタン２２を押操作すると、遊技店内の呼出ランプ（図示しない）が作動し、遊技店内にいる従業員が呼び出される。
前述の従業員認証が行われると（ステップＳ３でＹＥＳ）、制御部１１はシャッタ１０が開状態となるようにシャッタ駆動機構を制御し（ステップＳ４）、投入口５を開放する。その後、従業員により通常計数処理が実行される。
【００３５】
一方、遊技客のタッチ操作によりタバコ分類ボタン１９、ドリンク分類ボタン２０またはその他分類ボタン２１が押下されると（ステップＳ５でＹＥＳ）、制御部１１は操作表示器７に、次に述べる景品選択画面を表示する（ステップＳ６）。
図７は、操作表示器７に表示される景品選択画面を示す図である。以下、図４および図７を参照して説明する。
【００３６】
景品選択画面では、分類ボタン１９，２０，２１により選択された分類に含まれる１または複数の種類の景品が、景品選択ボタンとして一覧表示される。具体的には、制御部１１は、小額景品交換テーブル１４を参照して、選択された分類に含まれる景品の種類、および各景品の単位交換玉数を取得し、その景品の名称および単位交換玉数を景品選択画面（すなわち操作表示器７）に表示する。小額景品交換処理は、上限玉数の範囲内で遊技玉を景品に交換するものであるので、小額景品交換テーブル１４に格納されている景品の単位交換玉数の値が上限玉数を超えている場合、その景品の名称および単位交換玉数は、図７に示す景品選択画面には表示されない。
【００３７】
図６に示す待機画面でタバコの分類が選択された場合には、図７に示す景品選択画面に、複数（この実施形態ではたとえば８つ）の景品選択ボタン（景品種類指定手段、景品指定手段）２５Ａ，２５Ｂ，２５Ｃ，２５Ｄ，２５Ｅ，２５Ｆ，２５Ｇ，２５Ｈが表示される。各景品選択ボタン２５Ａ〜２５Ｈは、図３の小額景品交換テーブル１４に含まれる景品に１対１対応している。各景品選択ボタン２５Ａ〜２５Ｈ上には、景品の名称（タバコの銘柄）と各景品の単位交換玉数とが表示されている。ここで、各タバコのパッケージのイメージを表示してもよい。
【００３８】
景品選択画面の上部分には、メッセージ表示エリア３２が表示されている。このメッセージ表示エリア３２には、大きなサイズの文字で「景品を選んでね」というメッセージが表示されている。かかるメッセージは、景品選択ボタン２５Ａ〜２５Ｈの押下を遊技客に促している。
図７に示す景品選択画面の下部分には、操作表示器７の表示を、現在の景品選択画面から１つ前の画面（図６に示す待機画面）に戻すために押下される戻るボタン２９と、画面を上方にスクロール表示させるための上スクロールボタン３０と、画面を下方にスクロール表示させるための下スクロールボタン３１とが設けられている。
【００３９】
図７に示す景品選択画面において、遊技客が希望する景品選択ボタン２５Ａ〜２５Ｈ（たとえばタバコＡ用の景品選択ボタン２５Ａ）がタッチ操作によって指定操作されると（ステップＳ７でＹＥＳ）、制御部１１はシャッタ１０が開状態となるようにシャッタ駆動機構を制御し（ステップＳ８）、投入口５を開放する。これにより、遊技玉の計数がその後可能になる。また、景品選択ボタン２５Ａ〜２５Ｈが押下されると、制御部１１は、操作表示器７の表示を、図８に示す個数選択画面に切り換える（ステップＳ９）。
【００４０】
図８は、操作表示器７に表示される個数選択画面を示す図である。以下、図４、図７および図８を参照して説明する。
個数選択画面には、計数済みの遊技玉数を表示するための計数済み遊技玉数表示部３３と、指定された景品の名称（タバコの銘柄）および当該景品の単位交換玉数とを表示する交換景品内容表示部３４と、遊技客が希望する当該景品の個数を指定するための１または複数（図８ではたとえば４つ）の個数選択ボタン（景品個数指定手段、景品指定手段）３５Ａ，３５Ｂ，３５Ｃ，３５Ｄとが設けられている。
【００４１】
この実施形態では、指定可能な景品個数には上限があり、その最大個数はたとえば４個とされている。そのため、個数選択画面には設けられる個数選択ボタン３５Ａ〜３５Ｄは４つである。具体的には、指定された景品の個数を「１個」に指定するための１個選択ボタン３５Ａと、指定された景品の個数を「２個」に指定するための２個選択ボタン３５Ｂと、指定された景品の個数を「３個」に指定するための３個選択ボタン３５Ｃと、指定された景品の個数を「４個」に指定するための４個選択ボタン３５Ｄとが、個数選択ボタンとして備えられる。
【００４２】
各個数選択ボタン３５Ａ〜３５Ｄ上には、指定する個数と、指定された景品を指定される個数だけ交換するのに必要な遊技玉数（言い換えれば、指定された景品と指定される個数との積）とが表示されている。
個数選択ボタン３５Ａ〜３５Ｄによって指定可能な景品の個数は、指定された景品を指定された個数だけ交換するのに必要な遊技玉数（以下「交換玉数」という。）が、上限玉数（たとえば３００個）の範囲内になるものに限られる。たとえば、景品として「タバコＡ」が指定されている場合には、景品「タバコＡ」が４個（４箱）であれば２７６個で上限玉数の範囲内に収まる。しかし、景品として「タバコＢ」（単位交換玉数：７６個）が指定されている場合には、景品「タバコＢ」が４個であれば３０４個となり、上限玉数の範囲から外れる。このような場合、交換玉数が上限玉数の範囲から外れるときの個数に対応する個数選択ボタン（たとえば景品として「タバコＢ」が指定される場合における４個選択ボタン３５Ｄ）は無効化される。
【００４３】
なお、この場合、当該個数に対応する個数選択ボタン（たとえば、景品として「タバコＢ」が選択される場合の４個選択ボタン３５Ｄ）は、最初から表示されないようにすることもできる。
個数選択画面の上部分には、メッセージ表示エリア３９が表示されている。このメッセージ表示エリア３９には、大きなサイズの文字で「景品の個数を選んでね」というメッセージが表示されている。かかるメッセージは、個数選択ボタン３５Ａ〜３５Ｄの指定操作を遊技客に促している。
【００４４】
図８に示す個数選択画面の下部分には、操作表示器７の表示を、現在の個数選択画面から１つ前の画面（図７に示す景品選択画面）に戻すために押下される戻るボタン４０が設けられている。
操作表示器７に個数選択画面が表示されている状態で獲得遊技玉が投入されると、計数機構６による後述する遊技玉の計数の進行に従って（計数動作に連動して）、個数選択画面の計数済み遊技玉数表示部３３の値がカウントアップされる。
【００４５】
図８に示す個数選択画面において、遊技客のタッチ操作により個数選択ボタン３５Ａ〜３５Ｄ（たとえば２個選択ボタン３５Ｂ）が押下されると（ステップＳ１０でＹＥＳ）、制御部１１は、小額景品交換テーブル１４の内容と、指定された景品の個数に基づいて、交換玉数（指定された種類の景品を指定された個数だけ交換するのに必要な遊技玉数。タバコＡが２個指定された場合は１３８個）を演算により求め、決定（特定）する（ステップＳ１１）。また、遊技客により個数選択ボタン３５Ａ〜３５Ｄが押下されると、その後、操作表示器７で図９に示す計数中画面の表示が開始される。
【００４６】
図９は、操作表示器７に表示される計数中画面を示す図である。以下、図５および図９を参照して説明する。
計数中画面には、計数機構６による計数済みの遊技玉数を表示するための計数済み遊技玉数表示部４１と、指定された景品の名称（タバコの銘柄）および当該景品の単位交換玉数とを表示する交換景品内容表示部４２とが設けられている。計数済み遊技玉数表示部４１は図８に示す計数済み遊技玉数表示部３３と同様のものであり、交換景品内容表示部４２は図８に示す交換景品内容表示部３４と同様のものである。
【００４７】
また、計数中画面には、交換玉数と計数済みの遊技媒体数との差数である必要玉数（交換玉数に達するのに必要な遊技玉数。さらに別に言い方をすれば、交換玉数に対して不足する遊技玉数。）を表示する必要玉数表示部４３が設けられている。
計数中画面の上部分には、メッセージ表示エリア４４が表示されている。このメッセージ表示エリア４４には、大きなサイズの文字で「玉を流してね」というメッセージが表示されている。かかるメッセージは、投入口５への獲得玉の投入を遊技客に促すためのものである。
【００４８】
また、計数中画面の下部分には、計数機構６による小額景品交換処理を中断するための取消ボタン４５が設けられている。
投入口５の開放後、遊技客が獲得遊技玉を投入口５に投入すると、投入された遊技玉が計数機構６により計数される（ステップＳ１３）。計数機構６の計数センサは、遊技玉を１球検出する度に制御部１１に対し検出信号を出力する。制御部１１に計数機構６からの検出信号が入力されると、メモリ１２に記憶されている計数値をインクリメント（＋１）する。制御部１１は、メモリ１２に記憶されている計数値に基づいて、交換玉数と計数済みの遊技媒体数との差数である必要玉数を算出するとともに（ステップＳ１４）、その算出された必要玉数を必要玉数表示部４３に更新表示する（ステップＳ１５）。これにより、計数機構６による計数の進行に従って（計数動作に連動して）、必要玉数表示部４３の値がカウントダウンされる（カウントダウン表示）。
【００４９】
また、制御部１１は、計数機構６による計数値を計数済み遊技玉数表示部４１に表示する。これにより、計数機構６による計数の進行に従って（計数動作に連動して）、計数済み遊技玉数表示部４１の値がカウントアップされる（カウントアップ表示）。
計数済みの遊技玉数が交換玉数（指定された種類の景品を指定された個数だけ交換するのに必要な遊技玉数。）に達すると（ステップＳ１６でＹＥＳ）、制御部１１は、操作表示器７に「交換に必要な投入数に達しました」等のメッセージを含む警告表示を表示する（ステップＳ１７）。
【００５０】
計数済みの遊技玉数が交換玉数に達したとき、必要玉数表示部４３の値は零になる。その後に遊技玉が計数されても、必要玉数表示部４３の値は零のまま変化しない。すなわち、必要玉数表示部４３におけるカウントダウン表示は停止される。これに対し、計数済み遊技玉数表示部４１の値やメモリ１２に更新記憶される計数値は、計数済みの遊技玉数が交換玉数に達した後であっても、遊技玉が計数されればカウントアップし続ける。
【００５１】
計数機構６による計数済みの遊技玉数が交換玉数（指定された種類の景品を指定された個数だけ交換するのに必要な遊技玉数。）に達した後、計数機構６からの検出信号が１秒間以上継続して制御部１１に入力されない場合（ステップＳ１８でＹＥＳ）は、投入口５に対する遊技玉の投入は終了したとして、制御部１１はシャッタ１０が閉状態となるようにシャッタ駆動機構を制御する（ステップＳ１９）。これにより、投入口５が閉塞する。
【００５２】
そして、計数済みの遊技玉数が交換玉数を超えている場合は（ステップＳ２０でＹＥＳ）、制御部１１は、返却機構９を制御して、その超過分に相当する玉数の遊技玉を、玉取出口に払い出す（ステップＳ２１）。その後、制御部１１は、景品の名称（タバコの銘柄）等が印刷された計数レシート５０（図１０参照）を、レシート発行部８から発行させる（ステップＳ２２）。
【００５３】
図１０は、レシート発行部８から発行される小額景品交換用の計数レシート５０の一例を示す図である。計数レシート５０には、遊技媒体計数装置１による計数玉数５１と、遊技客が指定した景品の名称（タバコの銘柄）５２と、遊技客が指定した景品の個数５３と、景品情報（遊技客が指定した景品の種類および個数ならびに計数玉数）を景品管理機２に読み取らせるためのバーコード５４とが印刷されている。
【００５４】
また、計数レシート５０には、付加的な情報として、当該計数レシート５０が当該遊技店で当日のみ有効である旨の注意を促す「当店当日限り有効」のメッセージ５５、当該計数レシート５０の発行する契機となる取引の取引日時（図１０の場合、「２０１０年８月５日２０時３１分」）５６、当該計数レシートを発行した遊技媒体計数装置１の号機番号（図１０の場合、「０００１」号）５７、その遊技媒体計数装置１における当該取引の取引番号（図１０の場合、「Ｎｏ．００１」）５８、および当該計数処理を行った従業員の従業員コード（但し、図１０の場合、遊技客自身が計数処理を行ったことを示す「００」）５９が記載されている。また、これらの情報もバーコードに含まれている。
【００５５】
遊技客は、遊技媒体計数装置１によって発行された計数レシート５０を景品交換カウンタに持参して従業員に手渡す。従業員は遊技客から受け取った計数レシート５０のバーコード５４を景品管理機２に読み取らせる。景品管理機２は、計数レシート５０から読み取った計数情報に基づいて、小額景品の種類および個数を特定し、景品管理機２の表示部（図示しない）に表示する。従業員は、表示部の画面を見て、特定された景品を特定された個数だけ陳列棚等から取り出し、遊技客に手渡す。その後、従業員により、景品管理機２の確定ボタン（図示しない）が押下されることにより、景品交換に関するデータ処理が実行されて、交換処理が完了する。
【００５６】
なお、景品管理機２に計数レシート５０を読み取らせることなく、従業員が、計数レシート５０に記載された景品の種類および個数に基づいて陳列棚等から景品を取り出し、遊技客に手渡すこともできる。
図１１は、レシート発行部８から発行される通常計数用の計数レシート６０の一例を示す図である。
【００５７】
計数レシート６０には、計数玉数６１と、遊技玉数を景品管理機２に読み取らせるためのバーコード６４とが印刷されている。
また、計数レシート６０には、付加的な情報として、「当店当日限り有効」のメッセージ６５、取引の取引日時６６、当該計数レシートを発行した遊技媒体計数装置１の号機番号６７、その遊技媒体計数装置１における当該取引の取引番号６８、および当該計数処理を行った従業員の従業員コード６９が記載されている。
【００５８】
ところで、前述の遊技媒体計数装置１は、景品選択画面における景品の指定に応じて（図４に示すステップＳ７でＹＥＳ）、シャッタ１０が開動作され、投入口５が開放する。したがって、景品個数を未指定の状態でも投入口５は開放し、この状態で投入口５に遊技玉を投入すると遊技玉が計数される。
この場合、計数済みの遊技玉数が、指定可能な景品の最大個数（たとえば４個）を指定する場合の交換玉数を上回ったとき、景品の個数としてその最大個数が指定されたとみなされる。具体的には、図７に示す景品選択画面において景品「タバコＡ」が指定された後、投入口５に遊技玉が投入され、その遊技玉が計数されたとき、その計数済みの遊技玉数が２７６個（６９個（タバコＡの単位交換玉数）×４（指定可能な景品の最大個数））を超えると、景品の個数が自動的に４個に指定される。
【００５９】
以上によりこの実施形態によれば、操作表示器７の計数中画面では、交換玉数と計数済みの遊技玉数との差数である必要玉数が、計数動作に連動してカウントダウン表示される。そのため、遊技客は、計数済みの遊技玉数が交換玉数に達するために投入口５に投入すべき遊技玉数を直接知ることができる。これにより、遊技客の使い勝手が向上する。
また、景品の個数を指定することができ、発行される計数レシート５０には、指定された景品の種類および個数が関連付けられている。すなわち、複数個の景品と交換するために必要な遊技媒体計数装置１における計数動作は１回で足りる。これにより、遊技客の使い勝手が向上する。
【００６０】
また、計数機構６による計数済みの遊技玉数が交換玉数に達し、かつ計数機構６からの検出信号が予め定める期間（たとえば１秒間）ないことに応答して、レシート発行部８から計数レシート５０が発行される。そのため、投入口５への必要遊技玉の投入以外に、計数レシート５０の発行のために遊技客に要求される操作がない。これにより、遊技客の使い勝手が向上する。
【００６１】
図１２は、本発明の他の実施形態に係る遊技媒体計数装置１のメモリ１２Ａの記憶内容を示す図である。
この第２実施形態において、図１〜図１１に示す実施形態（第１実施形態）に示された各部に対応する部分には、第１実施形態と同一の参照符号を付して示し説明を省略する。メモリ１２Ａは、図２に示すメモリ１２に代えて用いられる。
【００６２】
第２実施形態が、第１実施形態と相違する点は、遊技媒体計数装置１に投入される遊技玉の貸出レートに応じて、メモリ１２Ａに記憶される上限玉数の値、および単位交換玉数の値を異ならせるとした点である。
たとえば、複数の貸出レートにおけるいずれかの貸出レートで、遊技客に遊技玉を貸し出している態様の営業形態を採用している遊技店であるとする。通常の貸出レート（以下では「通常レート」という）はたとえば４円／１玉（４円レート）とされ、通常レートのほかに、通常レートより低い貸出レート（以下では「低レート」という）はたとえば１円／１玉（１円レート）とされている。遊技店内には、通常レートで貸し出された貸玉でしか遊技できない専用の遊技台と、低レートで貸し出された貸玉でしか遊技できない専用の遊技台とがある。
【００６３】
図１２（ａ）に示すように、メモリ１２Ａには、通常レートの上限玉数と低レートの上限玉数とが別個に記憶されている。
また、図１２（ｂ）に示すように、メモリ１２Ａに記憶される小額景品交換テーブル１４Ａには、複数の景品（の名称）と、各景品の通常レートにおける単位交換玉数と、各景品の低レートにおける単位交換玉数とが格納されている。小額景品交換テーブル１４Ａは、単位交換玉数として、通常レートにおける単位交換玉数と、低レートにおける単位交換玉数との双方が格納されている点で、図３に示す小額景品交換テーブル１４と相違している。
【００６４】
また、メモリ１２Ａには、当該遊技媒体計数装置１が通常レート用であるのか、あるいは低レート用であるのかを示す機種レート情報が記憶されている。
そして、遊技媒体計数装置１における小額景品交換処理では、通常レートに対応する遊技媒体計数装置１では通常レート用の上限玉数および単位交換玉数が基準になり、一方、低レートに対応する遊技媒体計数装置１では低レート用の上限玉数および単位交換玉数が基準になる。
【００６５】
以上、本発明の２つの実施形態について説明したが、本発明は他の形態でも実施することができる。
たとえば、計数機構６による計数済みの遊技玉数が交換玉数に達したことのみに応答して、レシート発行部８から計数レシート５０が発行されてもよい。
また、前述の各実施形態では、計数済みの遊技玉数が交換玉数に達したことに応答して、警告表示を操作表示器７に表示する（ステップＳ１７）ものとして説明したが、計数済みの遊技玉数が交換玉数に達しただけでは警告せず、計数済みの遊技玉数が上限玉数を超えたこと（または上限玉数に達したこと）に応答して、警告表示を操作表示器７に表示するものであってもよい。また、これらの警告表示に代えて／併せて、音声出力手段（図示しない）による発報が行われてもよい。さらに、計数済みの遊技玉数が上限玉数を超えたこと（または上限玉数に達したこと）に応答して、景品管理機２や管理装置４、呼出ランプ（たとえば遊技店内の遊技台に対応して配設。図示しない）等の外部機器に信号を出力することにより、従業員に知らせるようにしてもよい。さらにまた、これらの警告表示は、第１実施形態で前述したようなメッセージに代えて／併せて超過玉数を報知する（画像表示または発報する）ものであってもよい。
【００６６】
また、景品（小額景品）の種類ごとの在庫情報を景品管理機２や管理装置４で管理し、在庫切れになった旨を表す在庫切れ情報等景品の在庫に関する情報を所定のタイミングで遊技媒体計数装置１に送信可能な構成としてもよい。この場合、在庫切れの景品を、図７に示す景品選択画面に表示しないようにしてもよいし、図７に示す景品選択画面中で当該景品が在庫切れである旨の表示を行ってもよい。あるいは、当該景品に対応する景品選択ボタン２５Ａ〜２５Ｈを無効化する構成であってもよい。
【００６７】
また、小額景品交換テーブル１４，１４Ａに格納されている景品のうち、予め定める１または複数の種類の景品だけ個数の選択を行うことができ、その他の景品については個数の選択を行えないとしてもよい。
また、個数選択画面では個数選択ボタン３５Ａ〜３５Ｄを最大個数（たとえば「４」）に相当する数だけ設けたが、最大個数よりも少ない所定の数であってもよい。また、個数選択ボタン３５Ａ〜３５Ｄを設けず、希望する景品の個数を数値入力する構成であってもよい。
【００６８】
また、遊技媒体計数装置１が、小額景品交換処理に関し、個数選択可能な状態と、個数選択不能な状態との間で設定により切換え可能にされていてもよい。この場合において、遊技媒体計数装置１が個数選択不能な状態に設定されているときには、操作表示器７に個数選択画面を不表示にすることもできる。
また、前述の実施形態の小額景品交換テーブル１４では、単位交換玉数が比較的小さな景品（５６玉〜８７玉）が記憶されている場合を例に挙げたが、小額景品交換テーブル１４に、単位交換玉数が比較的大きな景品を記憶してもよいのはもちろんのことである。この場合、景品選択画面において選択された景品の単位交換玉数の値が比較的大きく、景品の個数が２個以上指定されると交換玉数が上限玉数の範囲から外れる場合（たとえば、上限玉数が３００個の設定で、指定された景品の単位交換玉数が１８０（玉）である場合）には、景品個数選択のステップを省略（操作表示器７に個数選択画面を不表示に）することもできる。
【００６９】
また、前述の各実施形態では、交換用記録媒体として計数レシートを例に挙げたが、交換用記録媒体として、ＩＣチップ付携帯電話機やＩＣカード等の記憶媒体を用いることもできる。この場合、景品管理機２側に、各記憶媒体に対応する読取手段が搭載されることは言うまでもない。
また、景品（小額景品）が自動販売機１００（図１に二点鎖線にて図示）から払い出されるようにしてもよい。この場合、図１に二点鎖線で示すように、自動販売機１００は、遊技媒体計数装置１、景品管理機２および管理装置４に接続されている。自動販売機１００はレシートリーダ機能を備えている。この場合、遊技媒体計数装置１によって発行された計数レシート５０（バーコード５４）を、遊技客が自動販売機１００に読み取らせる。自動販売機１００は、計数レシート５０から読み取った景品情報に対応する商品（小額景品）を払い出す。遊技客は、自動販売機１００から商品（小額景品）を受け取ることができる。なお、自動販売機１００に自動販売機子機（図示しない）が接続されているときには、自動販売機子機にレシートリーダ機能が備えられている場合には、自動販売機子機が数レシート５０から読み取った景品情報に基づいて、自動販売機１００がその景品情報に対応する商品（小額景品）を払い出すようにしてもよい。
【００７０】
また、小額景品交換処理に先立つ投入口５の開放に関し、シャッタ１０が自動的に開状態になる構成について説明したが、この構成に代えて、閉状態にあるシャッタ１０のロックが解除される構成であってもよい。この場合、小額景品交換処理を行う遊技客が、シャッタ１０を手動で開き、投入口５を開放させる必要がある。
また、小額景品交換用の遊技玉を投入するための投入口と、通常計数処理用の遊技玉を投入するために投入口とを別個に設けることができる。この場合、小額景品交換用の投入口を、通常計数処理用の投入口を開閉するシャッタ自体や当該シャッタの近傍部分に設けることができる。この場合には、小額景品交換処理の際は、シャッタを閉状態に維持したまま、小額景品交換用の投入口から遊技玉を投入することができる。このシャッタは、前述の各実施形態のシャッタ１０同様、従業員認証に応じて開状態になる。この状態で、通常計数処理用の投入口が開放する。
【００７１】
さらに、遊技媒体計数装置１として、計数機構６を含む計数機と、レシート発行部８を含むレシート発行機とが別個に設けられ、互いに通信可能に接続された構成のものを用いてもよい。
さらに、小額景品交換テーブル１４に相当する構成を景品管理機２や管理装置４に設けてもよい。そして、小額景品交換処理の度に、遊技媒体計数装置１が景品管理機２や管理装置４に問い合わせるようにしてもよい。
【００７２】
また、遊技媒体計数装置１または遊技媒体計数システムとして、パチンコ玉等の遊技玉の数を計数するものを例に挙げたが、本発明は、遊技メダルの数を計数する遊技媒体計数装置または遊技メダルの数を計数する遊技媒体計数システムに適用できることは言うまでもない。
計数済みの遊技玉数が交換玉数を超えた場合、その超過分の遊技玉数を、必要玉数表示部４３に表示してもよい。ただし、超過分の遊技玉数（すなわち返却されるべき玉数）であることがわかるように、必要玉数表示部４３における必要玉数とは、表示態様を異ならせるものとする。
【００７３】
また、必要玉数の表示（差数の表示）を、計数機構６による計数の進行に連動させずに行ってもよい。たとえば、計数機構６による計数動作中は、必要玉数表示部４３を非表示とするかあるいは必要玉数表示部４３にランニング表示（模様）としておき、計数機構６による計数動作が所定時間（たとえば２〜３秒間）途切れたときに、その時点における必要玉数（差数）を必要玉数表示部４３に表示するものであってもよい。
【００７４】
その他、特許請求の範囲に記載された事項の範囲で種々の設計変更を施すことが可能である。
【符号の説明】
【００７５】
１  遊技媒体計数装置
６  計数機構
７  計数表示器（表示部）
８  レシート発行部（交換用記録媒体発行手段）
１１  制御部（交換媒体数特定手段、演算手段、表示制御手段、交換用記録媒体発行手段）
２５Ａ〜２５Ｈ  景品選択ボタン（景品種類指定手段、景品指定手段）
３５Ａ〜３５Ｄ  個数選択ボタン（景品個数指定手段、景品指定手段）
【図１】
2012061100.tif 000003
【図２】
2012061100.tif 000004
【図３】
2012061100.tif 000005
【図４】
2012061100.tif 000006
【図５】
2012061100.tif 000007
【図６】
2012061100.tif 000008
【図７】
2012061100.tif 000009
【図８】
2012061100.tif 000010
【図９】
2012061100.tif 000011
【図１０】
2012061100.tif 000012
【図１１】
2012061100.tif 000013
【図１２】
2012061100.tif 000014